(57)【要約】【課題】対象に対するＲＦパワー預託を低減させた並列励起パルス設計を提供する。【解決手段】並列ＲＦ送信コイルアレイ（７０）の各送信コイル（７２）に関するＢ１磁場マップを収集し、並列ＲＦ送信コイルアレイ（７０）の複数の送信コイル（７２）に関する実効Ｂ１磁場マップに基づいて計算アルゴリズムを用いてターゲット励起プロフィールの励起パルススキームを決定し、並列ＲＦ送信コイルアレイ（７０）の複数の送信コイル（７２）のそれぞれの送信コイル（７２）に関するＳＡＲ低減したＲＦパルスシーケンスを生成させる。並列ＲＦ送信コイルアレイ（７０）は、任意の並列式ＲＦ送信コイルアレイ幾何学構成を有することが可能である。各実効Ｂ１磁場マップは、１つの送信コイル（７２）と少なくとも別の１つの送信コイル（７２）の間に存在する誘導性結合効果を反映している。【選択図】図２
2007289690.tif 000002
【特許請求の範囲】
【請求項１】
ＭＲ撮像中にコンピュータ（２０）によって実行した際に該コンピュータ（２０）に対して、
任意の並列式ＲＦ送信コイルアレイ幾何学構成を有することが可能な並列ＲＦ送信コイルアレイ（７０）の各送信コイル（７２）に関するＢ１磁場マップを収集する工程と、
並列ＲＦ送信コイルアレイ（７０）の複数の送信コイル（７２）に関する少なくとも１つの実効Ｂ１磁場マップに基づいて計算アルゴリズムを用いてターゲット励起プロフィールの励起パルススキームを決定する工程であって、各実効Ｂ１磁場マップは１つの送信コイル（７２）と少なくとも別の１つの送信コイル（７２）の間に存在する誘導性結合効果を反映している決定工程と、
並列ＲＦ送信コイルアレイ（７０）の複数の送信コイル（７２）のそれぞれの送信コイル（７２）に関する少なくとも１つのＳＡＲ低減したＲＦパルスシーケンスを生成させる工程と、
を実行させる命令の組を表したコンピュータ・プログラムをその上に保存して有するコンピュータ読み取り可能記憶媒体（２８）。
【請求項２】
前記ＭＲ撮像中の命令組は前記コンピュータ（２０）に対してＲＦパルスとＲＦパワー預託の間の２次形式関係に基づいて少なくとも１つのＳＡＲ低減ＲＦパルスシーケンスを生成させており、該少なくとも１つのＳＡＲ低減ＲＦパルスシーケンスは並列ＲＦ送信コイルアレイ（７０）が生成させるＲＦ励起プロフィールをターゲット励起プロフィールから大幅に逸脱させることなく撮像ボリューム全体にわたってＲＦパワー預託を最小化している、請求項１に記載のコンピュータ読み取り可能記憶媒体（２８）。
【請求項３】
前記ＭＲ撮像中の命令組は前記コンピュータ（２０）に対して、最適化アルゴリズムに基づくと共に、送信コイル（７２）に関する少なくとも１つの実効Ｂ１磁場マップ及びＲＦパルスとＲＦパワー預託の間の２次形式関係を入力として使用することによって、前記少なくとも１つのＳＡＲ低減ＲＦパルスシーケンスを生成させている、請求項１に記載のコンピュータ読み取り可能記憶媒体（２８）。
【請求項４】
前記ＭＲ撮像中の命令組は前記コンピュータ（２０）に対して、最適化アルゴリズムを解くこと、並びに送信コイル（７２）に関する少なくとも１つの実効Ｂ１磁場マップ、ＲＦパルスとＲＦパワー預託の間の２次形式関係、及び傾斜パルスシーケンスを入力として使用することに基づいて、前記少なくとも１つのＳＡＲ低減ＲＦパルスシーケンスを生成させている、請求項１に記載のコンピュータ読み取り可能記憶媒体（２８）。
【請求項５】
前記ＭＲ撮像中の命令組は前記コンピュータ（２０）に対して、最適化アルゴリズムを行列逆変換公式を用いて解くこと、並びに送信コイル（７２）に関する少なくとも１つの実効Ｂ１磁場マップ、ＲＦパルスとＲＦパワー預託の間の２次形式関係、及び傾斜パルスシーケンスを入力として使用することに基づいて、前記少なくとも１つのＳＡＲ低減ＲＦパルスシーケンスを生成させている、請求項１に記載のコンピュータ読み取り可能記憶媒体（２８）。
【請求項６】
前記ＭＲ撮像中の命令組は前記コンピュータ（２０）に対してＲＦパルスとＲＦパワー預託の間の所定の関係に基づいて前記少なくとも１つのＳＡＲ低減ＲＦパルスシーケンスを生成させており、該少なくとも１つのＳＡＲ低減ＲＦパルスシーケンスは並列ＲＦ送信コイルアレイ（７０）が生成させるＲＦ励起プロフィールをターゲット励起プロフィールから大幅に逸脱させることなく撮像ボリューム全体にわたってパワー預託を最小化している、請求項１に記載のコンピュータ読み取り可能記憶媒体（２８）。
【請求項７】
前記ＭＲ撮像中の命令組は前記コンピュータ（２０）に対して、最適化アルゴリズムを解くこと、並びに送信コイル（７２）に関する少なくとも１つの実効Ｂ１磁場マップ及びＲＦパルスとＲＦパワー預託の間の所定の関係を入力として使用することに基づいて、前記少なくとも１つのＳＡＲ低減ＲＦパルスシーケンスを生成させている、請求項１に記載のコンピュータ読み取り可能記憶媒体（２８）。
【請求項８】
前記ＭＲ撮像中の命令組は前記コンピュータ（２０）に対して、最適化アルゴリズムを解くこと、並びに送信コイル（７２）に関する少なくとも１つの実効Ｂ１磁場マップ、ＲＦパルスとＲＦパワー預託の間の所定の関係、及び傾斜パルス状シーケンスを入力として使用することに基づいて、前記少なくとも１つのＳＡＲ低減ＲＦパルスシーケンスを生成させている、請求項１に記載のコンピュータ読み取り可能記憶媒体（２８）。
【請求項９】
前記ＭＲ撮像中の命令組は前記コンピュータ（２０）に対して、撮像ボリューム全体にわたるＲＦパワー預託の相対的低下を予測させている、請求項１に記載のコンピュータ読み取り可能記憶媒体（２８）。
【請求項１０】
偏向磁場を印加するためのマグネット（５４）、磁場傾斜を誘導するように該マグネット（５４）のボアの周りに位置決めした複数の傾斜コイル（７２）、複数の送信コイル（７２）を有する並列ＲＦ送信コイルアレイ（７０）、並びにＲＦパルスを送信しＭＲ画像を収集するためのＲＦ送受信器システム（５８）及びＲＦスイッチ（６２）を備えたＭＲシステムであって、該ＲＦスイッチ（６２）はパルスモジュール（３８）によって制御されているＭＲシステムと、
コンピュータ（２０）であって、
並列ＲＦ送信コイルアレイ（７０）の複数の送信コイル（７２）の各送信コイル（７２）に関するＲＦパルス波形を、ＲＦパルス長が管理されかつ起こりうる励起プロフィール・サイドローブが低減されるように設計すること、
ＭＲ撮像中に並列ＲＦ送信コイルアレイ（７０）の複数の送信コイル（７２）に対する独立の制御を介してＲＦパルスシーケンス最適化アルゴリズムに基づいてＳＡＲを調節すること、
を実行するようにプログラムされたコンピュータ（２０）と、
を備えるＭＲ装置（１０）。
【発明の詳細な説明】
【技術分野】
【０００１】
本発明は、全般的にはＭＲ撮像に関し、またさらに詳細には、所望の励起プロフィールを実現するための送信コイルアレイによる並列励起に関する。本発明はさらに、対象に対するＲＦパワー預託を低減させるための並列励起パルス設計に関する。
【背景技術】
【０００２】
人体組織などの物質を均一な磁場（偏向磁場Ｂ０）にかけると、組織中のスピンの個々の磁気モーメントはこの偏向磁場と整列しようとして、この周りをラーモアの特性周波数によってランダムな秩序で歳差運動することになる。この物質や組織に、ｘ−ｙ平面内にありラーモア周波数に近い周波数をもつ磁場（励起磁場Ｂ１）がかけられると、正味の整列モーメント（すなわち、「縦磁化」）ＭＺは、ｘ−ｙ平面内に来るように回転させられ（すなわち、「傾けられ（ｔｉｐｐｅｄ）」）、正味の横方向磁気モーメントＭｔが生成される。励起信号Ｂ１を停止させた後、励起したスピンにより信号が放出され、さらにこの信号を受信し処理して画像を形成させることができる。
【０００３】
これらの信号を用いて画像を作成する際には、磁場傾斜（Ｇｘ、Ｇｙ及びＧｚ）が利用される。典型的には、撮像しようとする領域が、使用する具体的な位置特定方法に従ってこれらの傾斜を変更させている一連の計測サイクルによりスキャンを受ける。結果として得られる受信したＭＲ信号の組はディジタル化されかつ処理され、よく知られている多くの再構成技法のうちの１つを用いて画像が再構成される。
【０００４】
ＭＲ撮像では、信号寄与ボリュームのサイズを制限しながら横方向磁化を誘導するために空間選択性励起が広く使用されている。最もよく使用されているスライス選択励起は、信号寄与ボリュームを固定のスライスに限定し、これによって信号収集中の空間エンコードを単純化してスキャン時間を短縮させる。スキャン時間をさらに短縮するために、複数の次元方向での位置特定をもたらす多次元励起が使用されている。その用途には例えば、位置特定式スペクトロスコピー、関心領域に関する縮小ＦＯＶスキャン、特有の形状をした目標解剖構造の撮像、及びエコートレン長を短くしたエコープラナー・イメージング（ＥＰＩ）が含まれる。さらに、Ｂ０の不均一性や傾斜非直線性の存在下での励起プロフィール忠実度の改善のため、並びに磁化率アーチファクトの軽減のために、大サイズのボリュームにわたる選択励起によるプロフィール制御（フリップ、位相及び周波数制御）が活用されてきた。
【０００５】
選択励起は、ボリューム全体にわたり送信し比較的均一なＢ１磁場を発生させる単一の送信コイル（例えば、バードケージコイル）を用いて実現されるのが一般的である。こうした構成に適合した励起パルスを設計するために極めて高効率のパルスアルゴリズムが開発されている。こうしたパルス設計ツールによって得られる利点があるものの技術的な困難が残っている。励起パルス持続時間、励起プロフィール確度、及びＲＦパワー吸収（ＳＡＲ：比吸収率（ｓｐｅｃｉｆｉｃ  ａｂｓｏｒｐｔｉｏｎ  ｒａｔｅ）；身体内でのＲＦエネルギーの吸収割合の尺度）に関する問題は、多種多様な用途における際だった問題点のうちの幾つかを示している。１Ｄ励起と比較すると、２Ｄや３Ｄ励起による複数次元方向での柔軟なプロフィール制御ではパルス持続時間を抑制するために、パルス化作用の強化が不可欠であると共に、多くの場合に強力な傾斜が必要である。この制約によって、汎用の傾斜によるスキャナに対する多次元励起の利用が妨害される。高周波数での波形挙動の増大や発生源−対象間相互作用に由来してＢ１磁場の対象依存性が大きいことも、励起プロフィール制御の困難さにつながることがある。高周波数においてＲＦパワー預託の割合が増大することが、その設計並びにＲＦ送信モジュール及び／または励起パルスの利用に対して大きな影響を有するさらに別の要因となる。
【特許文献１】米国特許第６９８９６７３号
【発明の開示】
【発明が解決しようとする課題】
【０００６】
本発明は、上述の欠点を克服している、撮像ボリューム内にＲＦ励起を導くための送信コイルアレイの送信コイルに対する独立の制御を提供する。
【０００７】
本発明は、複数の送信コイルを調和して駆動することによって多次元励起を高速化しかつＳＡＲを制御することを目的とする。本発明は、ＲＦパワー吸収及び多次元パルス長を効果的に管理する一方で所望の励起プロフィールの忠実な生成を容易にするために複数の送信素子の協調を高め、合成Ｂ１磁場内にＢ１の適当な時空的変動を生じさせている。
【課題を解決するための手段】
【０００８】
一実現形態では本発明は、コンピュータ読み取り可能記憶媒体を含む。本コンピュータ読み取り可能記憶媒体は一例では、ＭＲ撮像中にコンピュータによって実行させたときにこのコンピュータに対して：並列ＲＦ送信コイルアレイの各送信コイルに関するＢ１磁場マップを収集する工程と；該並列ＲＦ送信コイルアレイの複数の送信コイルに関する少なくとも１つの実効Ｂ１磁場マップに基づいて計算アルゴリズムを用いてターゲット励起プロフィールの励起パルススキームを決定する工程と；並列ＲＦ送信コイルアレイの複数の送信コイルのそれぞれの送信コイルに関する少なくとも１つのＳＡＲ低減したＲＦパルスシーケンスを生成させる工程と、を実行させる命令の組を表したコンピュータ・プログラムをその上に保存して有する。この並列ＲＦ送信コイルアレイは任意の並列式ＲＦ送信コイルアレイ幾何学構成を有することが可能である。各実効Ｂ１磁場マップは、１つの送信コイルと少なくとも別の１つの送信コイルの間に存在する誘導性結合効果を反映している。
【０００９】
本発明の別の実現形態はＭＲ装置を包含する。本ＭＲ装置は一例では、ＭＲシステム及びコンピュータを備える。このＭＲシステムは、偏向磁場を印加するためのマグネット、磁場傾斜を誘導するように該マグネットのボアの周りに位置決めした複数の傾斜コイル、複数の送信コイルを有する並列ＲＦ送信コイルアレイ、並びにＲＦパルスを送信しＭＲ画像を収集するためのＲＦ送受信器システム及びＲＦスイッチを備える。このＲＦスイッチはパルスモジュールによって制御されている。このコンピュータは、並列ＲＦ送信コイルアレイの複数の送信コイルの各送信コイルに関するＲＦパルス波形を、ＲＦパルス長が管理されかつ起こりうる励起プロフィール・サイドローブが低減されるように設計すること；ＭＲ撮像中にＲＦパルスシーケンス最適化アルゴリズムに基づいて並列ＲＦ送信コイルアレイの複数の送信コイルに対する独立の制御を介してＳＡＲを調節すること、を実行するようにプログラムされている。
【００１０】
本発明のまた別の実現形態は、ＭＲ撮像の方法を包含する。撮像ボリューム全体にわたって関心領域及び／または励起プロフィールが決定される。並列ＲＦ送信コイルアレイ向けの少なくとも１つの実効Ｂ１磁場マップに基づいて、ターゲット励起プロフィールのための励起パルススキームが決定される。各実効Ｂ１磁場マップは１つの送信コイルと少なくとも別の１つの送信コイルとの間に存在することがあり得る誘導性結合効果を反映している。並列ＲＦ送信コイルアレイの複数の送信コイルのＲＦパルスはＲＦパワー預託が減少するように独立に制御されている。
【００１１】
本発明に関する別の様々な特徴及び利点は、以下の詳細な説明及び図面から明らかとなろう。
【発明を実施するための最良の形態】
【００１２】
図面では、本発明を実施するために目下のところ企図される好ましい一実施形態を図示している。
【００１３】
図１を参照すると、本発明を組み込んでいる好ましい磁気共鳴撮像（ＭＲＩ）システム１０の主要コンポーネントを表している。このシステムの動作は、キーボードその他の入力デバイス１３、制御パネル１４及び表示スクリーン１６を含むオペレータ・コンソール１２から制御を受けている。コンソール１２は、オペレータが画像の作成及び表示スクリーン１６上への画像表示を制御できるようにする独立のコンピュータ・システム２０と、リンク１８を介して連絡している。コンピュータ・システム２０は、バックプレーン２０ａを介して互いに連絡している多くのモジュールを含んでいる。これらのモジュールには、画像プロセッサ・モジュール２２、ＣＰＵモジュール２４、並びに当技術分野でフレーム・バッファとして知られている画像データ・アレイを記憶するためのメモリ・モジュール２６が含まれる。コンピュータ・システム２０は、画像データ及びプログラムを記憶するためにディスク記憶装置２８及びテープ駆動装置３０とリンクしており、さらに高速シリアルリンク３４を介して独立のシステム制御部３２と連絡している。入力デバイス１３は、マウス、ジョイスティック、キーボード、トラックボール、タッチ作動スクリーン、光学読取り棒、音声制御器、あるいは同様な任意の入力デバイスや同等の入力デバイスを含むことができ、また入力デバイス１３は対話式幾何学指定のために使用することができる。
【００１４】
システム制御部３２は、バックプレーン３２ａにより互いに接続させたモジュールの組を含んでいる。これらのモジュールには、ＣＰＵモジュール３６や、シリアルリンク４０を介してオペレータ・コンソール１２に接続させたパルス発生器モジュール３８が含まれる。システム制御部３２は、実行すべきスキャンシーケンスを指示するオペレータからのコマンドをこのリンク４０を介して受け取っている。パルス発生器モジュール３８は、各システム構成要素を動作させて所望のスキャンシーケンスを実行させ、発生させるＲＦパルスのタイミング、強度及び形状、並びにデータ収集ウィンドウのタイミング及び長さを指示するデータを発生させている。パルス発生器モジュール３８は、スキャン中に発生させる傾斜パルスのタイミング及び形状を指示するために１組の傾斜増幅器４２と接続させている。パルス発生器モジュール３８はさらに、生理学的収集制御器４４から患者データを受け取ることができ、この生理学的収集制御器４４は、患者に装着した電極からのＥＣＧ信号など患者に接続した異なる多数のセンサからの信号を受け取っている。また最終的には、パルス発生器モジュール３８はスキャン室インタフェース回路４６と接続されており、スキャン室インタフェース回路４６はさらに、患者及びマグネット・システムの状態に関連付けした様々なセンサからの信号を受け取っている。このスキャン室インタフェース回路４６を介して、患者位置決めシステム４８は患者を所望のスキャン位置に移動させるコマンドを受け取っている。
【００１５】
パルス発生器モジュール３８が発生させる傾斜波形は、Ｇｘ増幅器、Ｇｙ増幅器及びＧｚ増幅器を有する傾斜増幅器システム４２に加えられる。各傾斜増幅器は、収集する信号の空間エンコードに使用する磁場傾斜を生成させるように全体を番号５０で示す傾斜コイル・アセンブリ内の物理的に対応する傾斜コイルを励起させている。傾斜磁場コイル・アセンブリ５０は、偏向用マグネット５４及び全身用ＲＦコイル５６を含むマグネット・アセンブリ５２の一部を形成している。システム制御部３２内の送受信器モジュール５８は、ＲＦ増幅器６０により増幅を受けて送信／受信スイッチ６２によりＲＦコイル５６に結合されるようなパルスを発生させている。患者内の励起された原子核が放出して得られた信号は、同じＲＦコイル５６により検知し、送信／受信スイッチ６２を介して前置増幅器６４に結合させることができる。増幅したＭＲ信号は、送受信器５８の受信器部分で復調され、フィルタ処理され、さらにディジタル化される。送信／受信スイッチ６２は、パルス発生器モジュール３８からの信号により制御し、送信モードではＲＦ増幅器６０をコイル５６と電気的に接続させ、受信モードでは前置増幅器６４をコイル５６に接続させている。送信／受信スイッチ６２によりさらに、送信モードと受信モードのいずれに関しても独立したＲＦコイル（例えば、表面コイル）を使用することが可能となる。
【００１６】
ＲＦコイル５６により取り込まれたＭＲ信号は送受信器モジュール５８によりディジタル化され、システム制御部３２内のメモリ・モジュール６６に転送される。未処理のｋ空間データのアレイをメモリ・モジュール６６内に収集し終わると１回のスキャンが完了となる。この未処理のｋ空間データは、各画像を再構成させるように別々のｋ空間データアレイの形に配置し直しており、これらの各々は、データをフーリエ変換して画像データのアレイにするように動作するアレイプロセッサ６８に入力される。この画像データはシリアルリンク３４を介してコンピュータ・システム２０に送られ、コンピュータ・システム２０において画像データはディスク記憶装置２８内などの記憶装置内に格納される。この画像データは、オペレータ・コンソール１２から受け取ったコマンドに応じて、テープ駆動装置３０上などの長期記憶内にアーカイブしたり、画像プロセッサ２２によりさらに処理してオペレータ・コンソール１２に伝達しディスプレイ１６上に表示させたりすることができる。
【００１７】
例示的な一方式は、複数の送信コイルによってＲＦパルス送信を高速化する方法及びシステムを目的とする。こうした送信コイルアレイを図２に表している。送信コイルアレイ・アセンブリ７０は、並列ＲＦ送信向けに設計された複数のＲＦコイルまたは素子７２と、複数のＲＦ増幅器７４と、を含む。好ましい一実施形態では、各送信コイル７２が専用の１つのＲＦ増幅器７４によって駆動を受ける。この際に各ＲＦ増幅器は、ＭＲシステムの内部で対象７８の励起ボリューム７６を規定及び／またはステアリングするようにそれぞれのＲＦコイル内に制御された電流が発生するように構成される。図２に示すように、送信コイル７２は実質的に直線状に配列されている。さらに、ＲＦパワー預託をさらに低下させるようにＲＦ増幅器は複数のＲＦ送信コイルに対して制御された電流を提供する（これについてはさらに詳細に記載することにする）。
【００１８】
ここで図３を参照すると、送信コイルアレイ・アセンブリ７０を別の実施形態で表している。この実施形態では、送信コイル７２をラップアラウンド式に配置させている。この際にこれらのコイルは、対象の周りに分散式で配列させている。図２に関して図示し説明したのと同様に、各ＲＦコイル７２は専用の１つのＲＦ増幅器７４に接続されている。図２〜３が送信コイルアレイのコイルの可能な配列を対として表していること、並びに具体的に図示していないこれ以外の配列も可能であり企図できることは、当業者であれば容易に理解されよう。
【００１９】
上で指摘したように、例示的な一方式は、送信コイルによるＲＦ励起が並列に実行されるように送信コイルアレイを用いて動作可能な方法及びシステムを目的としている。この並列励起によれば、ＲＦパルスの高速化及びターゲット励起の位置特定を通じてスキャン時間の短縮が支援されるのみならず、対象に対するＲＦパワー預託の低減が支援される。
【００２０】
例示的な一方式について小先端角の励起に関連して記載することにするが、この例示的方式は別の励起体系にまで拡張可能であることは当業者であれば理解されよう。単一の送信コイルによって小先端角励起から得られた横方向磁化は励起中に横動させかつ重み付けされるｋ空間軌道に対するフーリエ変換によって解析されることがある。
【００２１】
【数１】
2007289690.tif 000003
（例示の式１）
上式において、Ｓ（ｋ）は切り替え傾斜によって制御される空間周波数サンプリング軌道を意味し、Ｗ（ｋ）はＲＦパルスが送信コイルを駆動することによって誘導される空間周波数重みを意味し、またｂ（ｘ）はコイルのＢ１磁場（すなわち、無線周波数磁場）のパターンによって誘導される空間重みを意味している。
【００２２】
並列励起では、一例としてパルス合成器及び増幅器の複数の組によって並列ＲＦ発生源が形成される。この場合では、複数のＲＦパルスによって励起中に対応するコイルを駆動し、横方向磁化の生成に影響を及ぼす複数の空間周波数重み及び空間重みを誘導している。小先端角近似の限界内では、例示式１によって表されるｋ空間パースペクティブが直線性の特性に基づいて並列励起の解析にまで拡張される。
【００２３】
【数２】
2007289690.tif 000004
（例示の式２）
例示式２において、Ｎは送信コイルの総数を表しており、ｎはコイル指標を表しており、Ｗ（ｎ）（ｋ）は独立に制御されるＲＦパルスによって誘導される空間周波数重みを意味しており、またｂ（ｎ）（ｘ）はそれぞれのコイルの実効Ｂ１磁場パターンによって誘導される空間重みを意味している。したがって、得られる励起プロフィールμ（ｘ）は次式となる。
【００２４】
【数３】
2007289690.tif 000005
（例示の式３）
一例として、励起中にエコープラナー（ｋｘ，ｋｙ）横動軌道（ｋｘはスロー（ｓｌｏｗ）方向またΔｋｘはサンプリング周期）が適用されている２Ｄ励起の場合を検討してみる。ｋ空間重み／サンプリングによって、例示式３によって規定されるようなＮ個の周期関数に重みを付けて重ね合わせた２Ｄ励起プロフィールが得られる。
【００２５】
【数４】
2007289690.tif 000006
（例示の式４）
例示式４において、表記ψ（ｎ）（ｘ）及びΔはそれぞれ、∫Ｗ（ｎ）（ｋ）ｅｊ２πｋ・ｘｄｋと１／Δｋｘを意味している。説明のためにＺ方向の依存性は排除してある。ｋｘ方向での離散的サンプリングのために、ｆ（ｎ）（ｘ）は周期関数となりｘ方向に主ローブとエイリアシングローブが生じる。
【００２６】
各励起周期中において一例では、ＲＦパルスの印加によって対象内にＲＦエネルギー消費が生じる。ξを１回の全励起周期中に対象に吸収されるＲＦエネルギーの総量であるとすると、ＲＦパルスサンプル間隔と整合した細分性で定量化したときに、ξは一例では次式で表現される。
【００２７】
【数５】
2007289690.tif 000007
上式において、σは組織伝導性を表しており、またｐ、Δｔ及びＰはそれぞれ、サンプル間隔指標、持続時間（例えば、２μｓｅｃ）及び総数を意味している。さらに適当な質量計測及び時間平均スケールファクタによるξの正規化によって一例では、例えばＦＤＡ（Ｆｏｏｄ  ａｎｄ  Ｄｒｕｇ  Ａｄｍｉｎｉｓｔｒａｔｉｏｎ）及びＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）によるガイドラインの規定に従った頭部、胴体部、四肢あるいは全身で平均したＳＡＲ（比吸収率：身体内でのＲＦエネルギーの吸収割合の尺度）が提供される。ＳＡＲは一例では、ＲＦパワー預託、ＲＦパワー消費、及び／またはＲＦパワー吸収に関連する。ＩＥＣガイドラインに関する検討の一例は、Ｉ．６０６０１−２−３３（Ｍｅｄｉｃａｌ  Ｅｌｅｃｔｒｉｃａｌ  Ｅｑｕｉｐｍｅｎｔ−Ｐａｒｔ  ２：Ｐａｒｔｉｃｕｌａｒ  Ｒｅｑｕｉｒｅｍｅｎｔｓ  ｆｏｒ  ｔｈｅ  Ｓａｆｅｔｙ  ｏｆ  Ｍａｇｎｅｔｉｃ  Ｒｅｓｏｎａｎｃｅ  Ｅｑｕｉｐｍｅｎｔ  ｆｏｒ  Ｍｅｄｉｃａｌ  Ｄｉａｇｎｏｓｉｓ．  Ｉｎｔｅｒｎａｔｉｏｎａｌ  Ｅｌｅｃｔｒｏｔｅｃｈｎｉｃａｌ  Ｃｏｍｍｉｓｓｉｏｎ，  ３，  ｒｕｅ  ｄｅ  Ｖａｒｅｍｂｅ，  Ｐ．Ｏ．  Ｂｏｘ  １２１，  ＣＨ−１２１１，  Ｇｅｎｅｖａ  ２０，  Ｓｗｉｔｚｅｒｌａｎｄ，  ２ｎｄ  Ｅｄｉｔｉｏｎ，  ２００２）に見られる。
【００２８】
対象内部のＲＦ磁場がその磁場を一括して駆動する並列ＲＦパルスに対して線形に応答する場合、ξは一例ではさらに、ＲＦパルスサンプルについて２次形式で表現することが可能である。
【００２９】
【数６】
2007289690.tif 000008
（例示の式５）
上式において、Φは正定値行列であり、またベクトルｗｐ＝［ｗｐ（１）．．．ｗｐ（Ｎ）］は第ｐ番目の間隔に関してＮ個のコイルの全ＲＦパルスサンプルを集合させたものである。２次形式関係及び／または所定の関係は一例では、送信コイルアレイが生成したＲＦ励起プロフィールをターゲット励起プロフィールから大幅に逸脱させることなく撮像ボリューム全体にわたるＲＦパワー預託を低下させている少なくとも１つのＲＦパルスシーケンスの生成のための基準（ｂａｓｉｓ）の役割をする。
【００３０】
スピン励起プロフィール及びＲＦパワー吸収に対する上述の例示的な解析を用いて、対象内においてＲＦパワー吸収を確実に低くしながら所望の励起プロフィールを生成する並列ＲＦパルスの設計を検討するための例示的な説明を進めることにする。このＲＦパルス設計問題及び／または最適化アルゴリズムは一例では、条件付き（ｃｏｎｓｔｒａｉｎｅｄ）最適化として定式化される。一例では、最適化アルゴリズムは関数の最小値並びに該最小値を実現するパラメータを決定している計算アルゴリズムを含む。別の例では、最適化アルゴリズムは、関数の最大値並びに該最大値を実現するパラメータを決定している計算アルゴリズムを含む。
【００３１】
具体的には、ＦＤＡ及びＩＥＣによるＳＡＲ規定に直接結びついた例示式４及び５でξによって表した総吸収ＲＦエネルギーを、例示的な最適化で最小化しようとする例示的な測定基準として利用している。ターゲット励起プロフィールをμ（ｘ）とすると、例示式３は例示的なパルス設計制約条件を意味することになる。
【００３２】
例証を目的として、上述した２Ｄの例を再び検討してみる。例示式４で特徴付けられるこの場合では、並列ＲＦパルスは、対応するＢ１プロフィールによって重み付けされかつ重ね合わされたときにターゲットプロフィールを合成させるような周期的パターンを誘導する。したがってこの制約条件は画素（ｐ１Δｘ，ｐ２Δｙ）が次の形式であることを前提としている。
【００３３】
【数７】
2007289690.tif 000009
（例示の式６）
この２Ｄの例では、ｂ（ｎ）及びμはそれぞれ、Ｂ１磁場分布とターゲット励起プロフィールを意味している。ｆ（ｎ）は、その周期が粗いｋｘ方向サンプリングによって設定されるＬΔｘであるような第ｎ番目のＲＦパルスに関連する周期的パターンを意味している。
【００３４】
ＳＡＲ低減した並列励起パルスの設計は一例では、例示式６のタイプの例示の式の組を集合させることによって与えられる線形制約条件を受けるξの例示的な最小化を目的としている。ターゲットプロフィールの空間分解能要件と整合するように画素サイズを選択すると、ｆ（ｎ）はフーリエ変換によってＲＦパルスの第ｎ番目のサンプルに関係付けられる。当業者であれば理解するであろうＰａｒｓｅｖａｌの理論を用いるとξは、ｆ（ｎ）に関するサンプルの２次形式として記述することが可能であり、また最適化アルゴリズムは、視野域内部に各画素ごとに１つとした独立のより小さい最適化アルゴリズムの組み合わせとして等価的に示すことが可能である。
【００３５】
【数８】
2007289690.tif 000010
（例示の式７）
これらの下位アルゴリズムの各々は一例では、次式によって解かれる。
【００３６】
【数９】
2007289690.tif 000011
【００３７】
【数１０】
2007289690.tif 000012
（例示の式８）
一例では、例示式７及び８は送信コイルに対する少なくとも１つの実効Ｂ１磁場マップに基づいてターゲット励起プロフィールに対する励起パルススキームを決定している計算アルゴリズムを用いて実現されている。
【００３８】
ＲＦパルスとＳＥＮＳＥ再構成の解法の間の相反性を示す追加的な結果を導き出すことができる。ＳＥＮＳＥ再構成に関する例示的な検討は、Ｋ．Ｐ．Ｐｒｕｅｓｓｍａｎｎ、Ｍ．Ｗｅｉｇｅｒ、Ｍ．Ｂ．Ｓｃｈｅｉｄｅｇｇｅｒ及びＰ．Ｂｏｅｓｉｇｅｒによる「ＳＥＮＳＥ：ｓｅｎｓｉｔｉｖｉｔｙ  ｅｎｃｏｄｉｎｇ  ｆｏｒ  ｆａｓｔ  ＭＲＩ」（Ｍａｇｎ．  Ｒｅｓｏｎ．  Ｍｅｄ．，４２：９５２〜９６２，１９９９）に提示されている。一例ではＳＥＮＳＥ  ＳＮＲ（信号対雑音比）と同様に、一例ではＳＡＲに対する並列励起高速化の影響は「結合させた（ｃｏｕｐｌｅｄ）」画素（すなわち、Ｃｐ１，ｐ２行列の構成に関与する画素）からなる１つの集合について同時に調べられと共に、この影響がこの集合のＳＡＲに対する寄与に関する高速化した場合と高速化しないその対照の場合との比を用いて記述される。
【００３９】
【数１１】
2007289690.tif 000013
上式において、
【００４０】
【数１２】
2007289690.tif 000014
（例示の式９）
例示式９において、ＤＩＡＧは対角から外れた行列エントリーのすべてをゼロに設定する演算子である。高速化率Ｒの出現は、フリップ角を維持した状態での送信持続時間の短縮に関連する通常スケール変換を反映している。因子ｇｔは高速化に関する追加的な影響を取り込んでいる。ｇｔ因子は一例ではターゲットプロフィールに対して依存性を有するが、一般に考えられている例示的な結論は、分子の逆行列の最大固有値が常に分母の逆行列のものと比べて大きいか等しいということであり、このことは最悪のケースではある種のＳＡＲペナルティがあり、かつ別のケースではペナルティの可能性があることが示唆される。例示式９は一例では、撮像ボリューム全体にわたるＲＦパワー預託の相対的低下を定量化する役割をする。
【００４１】
例示的なシミュレーション研究によって、比較可能な励起プロフィールを生成する際に、記載したＲＦパルス設計による並列励起はＳＡＲに関する成績が従来のボリュームコイル励起を大幅に上回る傾向があることが確認されている。例示的な別のシミュレーション研究は、８素子送信アレイの内部にある２４ｃｍ直径の均一な円筒状物体に関して例示式８に基づいて計算した２Ｄパルスを用いている並列励起を目的としたものである。例えば図４は、例示的な第１の８素子送信アレイの内部にある円筒状物体に対する例示的な並列励起（Ｒ＝６による励起）を表している。この中心部分には、２８ｃｍ直径のシェル上にアジマス方向に分散させたアレイの８つの下側に重ねた素子４０１、４０２、４０３、４０４、４０５、４０６、４０７及び４０８、並びにこれにより得られた平坦な励起プロフィールを例示的に図示している。周囲にあるプロフィールは、これらの素子を別々に駆動した場合のこれら素子からの例示的な励起プロフィールである。別の高速化率をもつ平坦なターゲットプロフィールを実現するための２Ｄパルスも例示式８に基づいて計算してこのシミュレーション研究で使用した。すべての場合において、（ｇｔ因子の空間分布を示すように「結合させた」画素の各集合ごとに１つのｇｔ値とした）対応するｇｔマップを例示式９に基づいて計算した。この例示的な研究は、全体の幾何学構成は同じであるが素子をより幅広くして重ね合わせるようにした例示的な第２の送信アレイに関して繰り返した。
【００４２】
図５は、並列送信に付随するＲＦパワー預託の例示的特性の図である。図５は、図４に示したアレイを用いたＲ＝４及びＲ＝６のそれぞれにおけるｇｔマップ５０２及び５０４を表している。図５にはさらに、例示的な第２の８素子送信アレイを用いたＲ＝４及びＲ＝６のそれぞれにおけるｇｔマップ５０６及び５０８を表している。例示的なスケールバー５１０（例えば、カラースケールバーまたはグレイスケールバー）をレファレンスとすることがある。第１のアレイに関するＲ＝１、４及び６における正規化ξｍｉｎ／Ｒはそれぞれ、１、０．８５及び１．０１であった。第２のアレイに関するＲ＝１、４、及び６における対応するξｍｉｎ／Ｒ値はそれぞれ、０．９７、０．９１及び１．２０であった。ξｍｉｎ／Ｒに関して、例示的な第１のアレイは高速化式の場合における成績がＲ＝１では若干下回ったのを除けば例示的な第２のアレイより優っていた。この２つの例示的アレイはＲ＝１よりもＲ＝４においてより良好な成績を示した。
【００４３】
一例として「結合させた」画素間の雑音相関が知覚されるＳＮＲに影響を及ぼさないようなＳＥＮＳＥ再構成の場合と異なり、一例として並列励起では総消費ＲＦエネルギーは一般に（Ｂ１プロフィール制御式及び傾斜軌道制御式の）「画素結合」による影響を受ける。所与のターゲットプロフィールについて、これがいずれかの方向でＳＡＲを変化させることがある。並列励起パルスの例示的な最適化は一例では、高いＳＡＲ効率を実現させる役割をする。
【００４４】
例示的な一方式では、設計されるＲＦパルスは、同期して繰り出される適当な傾斜変化に付随して励起が完了した際に所望の励起プロフィールを生成する合成Ｂ１磁場の空間的変動と時間的変動の両方を誘導するように合成され、増幅され、かつ対応する送信素子に並列に供給される。このことは、Ｂ１磁場の時間的変動だけを操作するためにコイル幾何学構成並びに駆動ポート位相／規模ターゲットＢ１磁場の空間的均一性のオフセットの設計、並びに励起中に繰り出されるＲＦパルスが制約をうけているような従来の方式と対照的である。励起のためにＢ１の適当な時空的変動を誘導することはＲＦ励起性能に対して重大な問題を引き起こすことは当業者であれば理解されよう。すなわち、並列励起は、所望の励起プロフィールを生成する確度を大幅に犠牲にすることなく励起の高速化及び／またはＳＡＲの制御に対応している。
【００４５】
まとめると、送信素子を駆動するＲＦパルスは最適化アルゴリズムを用いて計算することが可能であり、ｋ空間サンプリング密度低減の手段によって多次元励起を高速化する能力はエイリアシングローブの抑制にかかっていると共に適当に設計された駆動ＲＦパルス（空間周波数領域重み）によって実現でき、また駆動ＲＦパルス波形の２次関数を最小化することによってＳＡＲ管理を実現することが可能であり、これによって生じるＲＦパワー預託を最小にした電場Ｅを誘導しながら所望の励起プロフィール及び／または高速化を実現するようにＲＦパルスを協調させる方法が追求される。
【００４６】
例示的な用途の観点からすると、目下の並列励起方式が特に利用可能であるようなエリアの１つは高速イメージングである。例えば関心対象の解剖構造が局所領域内に限定されているような例示的状況下では、その領域に「スポットライトを当てた」多次元励起が、信号収集にかかる空間エンコードの負担軽減によって撮像の高速化を可能にする。従来の励起と比べて例示的な改善を示すことによって、数倍短縮させた並列励起によって、例えば従来では多次元パルスの実際の利用の障害となっていた時間コストの障壁を打破する一方で撮像ボリューム規定／ステアリングが支援される。並列収集方式の使用と比較して、並列励起方式に基づいた集束式イメージングは幾何学的因子によって記述される特有のＳＮＲ劣化を受けない。この２つの方式を組み合わせて使用することが可能であり、これによればスキャン時間短縮のためのさらに大きな能力を提供することができる。記述した例示的な実験は２Ｄ位置特定に焦点を当てているが、並列励起方式は磁場不完全性が誘導する影響や非フーリエ空間エンコードに関する補正を含む例示的なユーティリティを用いることによって一般的な２Ｄ励起プロフィールの生成及び高速化に適用される。例示的な一方式は３Ｄ収集に適用可能である。
【００４７】
高磁場イメージングでは、一例では励起プロフィールの管理及びＲＦパワー預託の調節の両方の目的で、送信システム並びに駆動方式及び／または構成を使用することができる。励起パルス及び送信コイルの扱いの一体化を実現することによって、例示的な一方式は励起プロフィール制御を容易にしている。分散式の並列システム、励起の高速化、及びＳＡＲの管理を用いた送信によってさらに、大きい磁場強度におけるパワー預託に対する解決法が提供される。
【００４８】
したがって一実施形態では本発明は、コンピュータ読み取り可能記憶媒体上に保存されており、かつコンピュータによって実行させたときに該コンピュータに対して、送信コイルアレイの各送信コイルに関するＢ１磁場マップを収集する工程と、所望の励起プロフィールを実現するためにこのＢ１磁場マップから励起パルススキームを決定する工程と、を実行させる命令を有するコンピュータ・プログラムの形で具現化される。このコンピュータに対してはさらに、撮像中のＲＦパワー預託を低下させるようにそれぞれの各送信コイルに合わせて調整したＲＦパルスシーケンスを生成させている。
【００４９】
別の態様では、本発明はＭＲシステムを備えたＭＲ装置を含む。このＭＲシステムは、偏向磁場を印加するためのマグネットと、磁場傾斜を印加するようにマグネットのボアの周りに位置決めされた複数の傾斜コイルと、ＲＦコイル・アセンブリにＲＦ信号を送信しＭＲ画像を収集するようにパルスモジュールによって制御を受けるＲＦ送受信器システム及びＲＦスイッチと、を有する。複数の送信コイルを有する送信コイルアレイも開示している。本装置はさらに、複数の送信コイルに対する独立の制御を介してＭＲ撮像中の対象へのＲＦパワー預託（ＳＡＲ）を調節するようにプログラムされたコンピュータを含む。
【００５０】
本発明の別の態様では、ＭＲ撮像の方法は、対象内部で関心領域を決定する工程と、対象に対するＲＦパワー預託が低下するように送信コイルアレイの複数の独立の送信コイルによってＲＦ励起を制御する工程と、を含む。
【００５１】
対応するＲＦパルス合成器及び増幅器を伴った複数の送信コイルからなるシステムを開示する。さらに、撮像ボリューム全体にわたるＲＦパワー預託を動的に制御するために各送信コイルに特異的なＲＦパルスを設計する方法も開示しており、この方法によれば、送信コイルによる並列励起による対象に対するＲＦパワー預託の管理を可能にさせる一方で所望の励起プロフィールの忠実な生成が容易になる。本発明はさらに、スキャン時間の短縮を支援すると共に、任意のコイルアレイ幾何学構成に適用可能である。
【００５２】
コンピュータ読み取り可能記憶媒体２８は一例では、ＭＲ撮像中にコンピュータ２０によって実行させたときにコンピュータ２０に対して次の処理を実行させる命令の組を表したコンピュータ・プログラムをその上に保存して備えている。並列ＲＦ送信コイルアレイ７０の各送信コイル７２ごとに１つのＢ１磁場マップが収集される。並列ＲＦ送信コイルアレイ７０は、任意の並列式ＲＦ送信コイルアレイ幾何学構成を有することが可能である。計算アルゴリズムを用いて、並列ＲＦ送信コイルアレイ７０の複数の送信コイル７２に関する少なくとも１つの実効Ｂ１磁場マップに基づいて、ターゲット励起プロフィールに関する励起パルススキームが決定される。各実効Ｂ１磁場マップは、ある送信コイル７２と少なくとも別の１つの送信コイル７２との間に存在する誘導性結合効果を反映している。並列ＲＦ送信コイルアレイ７０の複数の送信コイル７２のそれぞれの送信コイル７２ごとに少なくとも１つのＳＡＲ低減したＲＦパルスシーケンスが生成される。
【００５３】
ＭＲ撮像中の命令組は一例では、コンピュータ２０に対してＲＦパルスとＲＦパワー預託の間の２次形式関係に基づいて少なくとも１つのＳＡＲ低減ＲＦパルスシーケンスを生成させている。この少なくとも１つのＳＡＲ低減ＲＦパルスシーケンスは、並列ＲＦ送信コイルアレイ７０が生成させるＲＦ励起プロフィールをターゲット励起プロフィールから大幅に逸脱させることなく、撮像ボリューム全体にわたってＲＦパワー預託を最小化している。
【００５４】
ＭＲ撮像中の命令組は一例では、コンピュータ２０に対して、最適化アルゴリズムに基づくと共に、送信コイル７２に関する少なくとも１つの実効Ｂ１磁場マップ及びＲＦパルスとＲＦパワー預託の間の２次形式関係を入力として使用することによって少なくとも１つのＳＡＲ低減ＲＦパルスシーケンスを生成させている。
【００５５】
ＭＲ撮像中の命令組は一例では、コンピュータ２０に対して、最適化アルゴリズムを解くこと、並びに送信コイル７２に関する少なくとも１つの実効Ｂ１磁場マップ、ＲＦパルスとＲＦパワー預託の間の２次形式関係、及び傾斜パルスシーケンスを入力として用いることに基づいて、少なくとも１つのＳＡＲ低減ＲＦパルスシーケンスを生成させている。
【００５６】
ＭＲ撮像中の命令組は一例では、コンピュータ２０に対して、最適化アルゴリズムを行列逆変換公式を用いて解くこと、並びに送信コイル７２に関する少なくとも１つの実効Ｂ１磁場マップ、ＲＦパルスとＲＦパワー預託の間の２次形式関係、及び傾斜パルスシーケンスを入力として用いることに基づいて、少なくとも１つのＳＡＲ低減ＲＦパルスシーケンスを生成させている。
【００５７】
ＭＲ撮像中の命令組は一例ではコンピュータ２０に対して、ＲＦパルスとＲＦパワー預託の間の所定の関係に基づいて少なくとも１つのＳＡＲ低減ＲＦパルスシーケンスを生成させている。この少なくとも１つのＳＡＲ低減ＲＦパルスシーケンスは、並列ＲＦ送信コイルアレイ７０が生成させるＲＦ励起プロフィールをターゲット励起プロフィールから大幅に逸脱させることなく、撮像ボリューム全体にわたってパワー預託を最小化している。
【００５８】
ＭＲ撮像中の命令組は一例では、コンピュータ２０に対して、最適化アルゴリズムを解くこと、並びに送信コイル７２に関する少なくとも１つの実効Ｂ１磁場マップ、及びＲＦパルスとＲＦパワー預託の間の所定の関係を入力として用いることに基づいて、少なくとも１つのＳＡＲ低減ＲＦパルスシーケンスを生成させている。
【００５９】
ＭＲ撮像中の命令組は一例では、コンピュータ２０に対して、最適化アルゴリズムを解くこと、並びに送信コイル７２に関する少なくとも１つの実効Ｂ１磁場マップ、ＲＦパルスとＲＦパワー預託の間の所定の関係、及び傾斜パルスシーケンスを入力として用いることに基づいて、少なくとも１つのＳＡＲ低減ＲＦパルスシーケンスを生成させている。
【００６０】
ＭＲ撮像中の命令組は一例では、コンピュータ２０に対して、撮像ボリューム全体にわたるＲＦパワー預託の相対的低下を予測させている。
【００６１】
ＭＲ装置１０は一例では、ＭＲシステム及びコンピュータ２０を備える。このＭＲシステムは、偏向磁場を印加するマグネット５４と、磁場傾斜を誘導するようにマグネット５４のボアの周りに位置決めされた複数の傾斜コイル７２と、複数の送信コイル７２を有する並列ＲＦ送信コイルアレイ７０と、ＲＦパルスを送信しＭＲ画像を収集するためのＲＦ送受信器システム５８及びＲＦスイッチ６２と、を備える。ＲＦスイッチ６２はパルスモジュール３８によって制御される。コンピュータ２０は、並列ＲＦ送信コイルアレイ７０の複数の送信コイル７２の各送信コイル７２に関するＲＦパルス波形を、ＲＦパルス長が管理されかつ起こりうる励起プロフィール・サイドローブが低減されるように設計すること、並びにＭＲ撮像中にＲＦパルスシーケンス最適化アルゴリズムに基づいて並列ＲＦ送信コイルアレイ７０の複数の送信コイル７２に対する独立の制御を介してＳＡＲを調節することを実行するようにプログラムされている。
【００６２】
本明細書に記載した工程または動作は一例である。本発明の精神を逸脱することなくこうした工程または動作に対する変更形態を存在させ得る。例えばその工程を異なる順序で実施することや、工程の追加、削除または修正が可能である。
【００６３】
本発明を好ましい実施形態に関して記載してきたが、明示的に記述した以外に等価、代替及び修正が可能であり、これらも添付の特許請求の範囲の域内にあることを理解されたい。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００６４】
【図１】本発明と一緒に使用するためのＭＲ撮像システムのブロック概要図である。
【図２】本発明の一態様による線形送信コイルアレイ・アセンブリを表したブロック図である。
【図３】本発明の別の態様によるラップアラウンド型の送信コイルアレイ・アセンブリを表したブロック図である。
【図４】例示的な送信アレイの内部にある例示的な円筒状物体に関する例示的な並列励起を表した図である。
【図５】並列送信に付随するＲＦパワー預託の例示的特性を表した図である。
【符号の説明】
【００６５】
１０  好ましい磁気共鳴（ＭＲ）システム
１２  オペレータ・コンソール
１３  キーボードその他の入力デバイス
１４  制御パネル
１６  表示画面
１８  リンク
２０  単独のコンピュータ・システム
２２  画像プロセッサ・モジュール
２４  ＣＰＵモジュール
２６  メモリモジュール
２８  ディスク記憶装置
３０  テープ駆動装置
３２  単独のシステム制御部
３４  高速シリアルリンク
３６  ＣＰＵモジュール
３８  パルス発生器モジュール
４０  シリアルリンク
４２  傾斜増幅器組
４４  生理学的収集制御器
４６  スキャン室インタフェース回路
４８  患者位置決めシステム
５０  傾斜コイル・アセンブリの全体
５２  マグネット・アセンブリ
５４  偏向用マグネット
５６  全身用ＲＦコイル
５８  送受信器モジュール
６０  ＲＦ増幅器
６２  送信／受信スイッチ
６４  前置増幅器
６６  メモリモジュール
６８  アレイプロセッサ
７０  送信コイルアレイ・アセンブリ
７２  複数のＲＦコイルまたは素子
７４  複数のＲＦ増幅器
７６  励起ボリューム
７８  対象
３２ａ  バックプレーン
４０１  下側に重ねた素子
４０２  下側に重ねた素子
４０３  下側に重ねた素子
４０４  下側に重ねた素子
４０５  下側に重ねた素子
４０６  下側に重ねた素子
４０７  下側に重ねた素子
４０８  下側に重ねた素子
５０２  ｇｔマップ
５０４  ｇｔマップ
５０６  ｇｔマップ
５０８  ｇｔマップ
５１０  例示的なスケールバー
【図１】
2007289690.tif 000015
【図２】
2007289690.tif 000016
【図３】
2007289690.tif 000017
【図４】
2007289690.tif 000018
【図５】
2007289690.tif 000019